(57)【要約】【課題】  光ピックアップの対物レンズ駆動手段において、ホルダ側を回転させてコイルを巻回する構成とし作業の高速化を図り、なおかつ振動特性を向上する。【解決手段】  コイルホルダの同じ面にトラッキングコイルと２つのフォーカシングコイルを巻回した光ピックアップにおいて、コイルホルダはトラッキングコイルホルダと２つのフォーカシングコイルホルダを含み、トラッキングコイルホルダと２つのフォーカシングコイルホルダのそれぞれはコイル中心を通る穴を有する光ピックアップとする。【選択図】図１
2008262621.tif 000002
【特許請求の範囲】
【請求項１】
コイルホルダの同じ面にトラッキングコイルと２つのフォーカシングコイルを巻回した光ピックアップにおいて、前記コイルホルダはトラッキングコイルホルダと２つのフォーカシングコイルホルダを含み、前記トラッキングコイルホルダと２つのフォーカシングコイルホルダのそれぞれはコイル中心を通る穴を有することを特徴とする光ピックアップ。
【請求項２】
前記コイルホルダは、前記トラッキングコイルホルダと２つのフォーカシングコイルホルダが互いに接着されて構成されたことを特徴とする請求項１記載の光ピックアップ。
【請求項３】
前記２つのフォーカシングコイルホルダはそれぞれフォーカシングコイルの巻回部からトラッキング方向に突出した突出部を有し、前記トラッキングコイルホルダはトラッキングコイルの周りにトラッキングコイル巻回面から一段下がった外縁部を有し、前記トラッキングコイルホルダの外縁部に前記２つのフォーカシングコイルホルダの突出部を重ねて配置し、前記トラッキングコイルホルダの外縁部においてトラッキングコイルホルダと２つのフォーカシングコイルホルダを接着したことを特徴とする光ピックアップ。
【請求項４】
前記２つのフォーカシングコイルホルダの突出部は、一方がＬ字状であり、他方がこれと組み合う逆Ｌ字状となっていることを特徴とする請求項１から３のいずれかに記載の光ピックアップ。
【請求項５】
トラッキングコイルホルダの穴に巻回軸を通す第１の工程と、該第１の工程の後に前記トラッキングコイルホルダを回転させることでコイル線材を巻回してトラッキングコイルを形成する第２の工程と、フォーカシングコイルホルダの穴に巻回軸を通す第３の工程と、該第３の工程の後に前記フォーカシングコイルホルダを回転させることでコイル線材を巻回してフォーカシングコイルを形成する第４の工程と、前記第２の工程及び第４の工程の後に１つの前記トラッキングコイルホルダと２つの前記フォーカシングコイルホルダとを互いに接着して一つのコイルホルダを形成する第５の工程を有することを特徴とする光ピックアップの製造方法。
【発明の詳細な説明】
【技術分野】
【０００１】
本発明は、光ディスクの記録面上に記録された情報を読み出し、または光ディスクに情報を記録する光ディスク装置が備える光ピックアップに関する。
【背景技術】
【０００２】
光ディスク装置の光ピックアップに備えられる一般的な対物レンズ駆動手段は、対物レンズを搭載したホルダと、ホルダに取り付けられたフォーカシングコイルおよびトラッキングコイルと、これらを含む可動部を支持する支持部材と、ヨークおよびマグネットとから構成される。
【０００３】
フォーカシングコイルに駆動電流を印加すると、マグネットからの磁束との作用により生じる電磁力により、可動部が光ディスク面に接近または離遠する方向であるフォーカシング方向に駆動される。同様にトラッキングコイルに駆動電流を印加すると、マグネットからの磁束との作用により生じる電磁力により、可動部が光ディスクの半径方向であるトラッキング方向に駆動される。
【０００４】
フォーカシングコイルとトラッキングコイルをホルダに取り付ける場合に、ホルダに直接コイルを巻回する方法は、組立作業性に優れているため、実機に適用されている例もある。
【０００５】
この方法を用いた光ピックアップの対物レンズ駆動手段の従来構造の例が、特許文献１に記載されている。特許文献１では、レンズホルダが上側ピースと下側ピースを結合して構成され、上側ピースにトラッキングコイルが巻回され、下側ピースの２つのボビン部にフォーシングコイルが巻回される構成が示されている。
【０００６】
【特許文献１】特開２００６−３４４２７６号公報（第５頁、図２）
【発明の開示】
【発明が解決しようとする課題】
【０００７】
上記特許文献１では、レンズホルダの下側ピースに２つのボビン部を有するため、フォーカシングコイルを巻回する際に、レンズホルダの下側ピースを固定して、それぞれのボビン部の周りにコイル線を移動させながら巻回する必要が有る。
【０００８】
本発明の目的は、組立作業性に優れた光ピックアップを提供することにある。
【課題を解決するための手段】
【０００９】
上記目的を達成するために本発明は、次のように構成される。
【００１０】
コイルホルダの同じ面にトラッキングコイルと２つのフォーカシングコイルを巻回した光ピックアップにおいて、前記コイルホルダはトラッキングコイルホルダと２つのフォーカシングコイルホルダを含み、前記トラッキングコイルホルダと２つのフォーカシングコイルホルダのそれぞれはコイル中心を通る穴を有する光ピックアップとする。
【発明の効果】
【００１１】
本発明によれば、コイルホルダの同じ面にトラッキングコイルと２つのフォーカシングコイルを巻回する際に、それぞれのコイルホルダに設けた穴を中心にコイルホルダを回転させてコイルを巻回することができるので、作業の高速化が図れる。このときトラッキングコイルと２つのフォーカシングコイルをコイルホルダの同じ面に巻回するので、対向ヨークを配置する必要がなく、ホルダの剛性を確保でき、振動を抑えることができる。
【００１２】
また、トラッキングコイルホルダに設けた外縁部に２つのフォーカシングコイルホルダの突出部を重ねて接着することにより、２つのフォーカシングコイルホルダとトラッキングコイルホルダの結合を確実に行うことができる。
【００１３】
また、２つのフォーカシングコイルホルダの突出部の一方をＬ字状にし、他方を逆Ｌ字状とすることで、２つのフォーカシングコイルホルダの判別を容易に行うことができる。
【発明を実施するための最良の形態】
【００１４】
以下、実施例を説明する。
【実施例１】
【００１５】
本発明に係わる光ピックアップの実施例を図面を用いて説明する。
【００１６】
初めに、光ピックアップ１１０を搭載した光ディスク装置１００を図７のブロック図を用いて説明する。光ディスク装置１００は、光ディスク１０１を回転させるスピンドルモータ１２０と、光ディスク１０１から情報を読み出し、または光ディスク１０１に情報を書き込む光ピックアップ１１０と、これらを制御するコントローラ１３０とを備えている。光ピックアップ１１０は、詳細を後述する対物レンズ駆動手段５０と、レーザ発光素子１１１等の光学部品を有する。
【００１７】
コントローラ１３０に接続されたディスク回転制御回路１３１は、コントローラ１３０からの指令を受けて、光ディスク１０１を搭載したスピンドルモータ１２０を回転駆動する。また、コントローラ１３０に接続された送り制御回路１３２は、コントローラ１３０からの指令を受けて、光ピックアップ１１０を光ディスク１０１の半径方向に移動させる。
【００１８】
光ピックアップ１１０に搭載されたレーザ発光素子１１１には、発光素子駆動回路１３３が接続されている。コントローラ１３０からの指令を受けて発光素子駆動回路１３３から駆動信号がレーザ発光素子１１１に与えられると、レーザ発光素子１１１はレーザ光を発光する。レーザ光は対物レンズ１により光ディスク１０１上に集光される。集光されたレーザ光は、光ディスク１０１で反射し、対物レンズ１を通過し、光検出器１１２に入射する。光検出器１１２で得られた検出信号１３４は、サーボ信号検出回路１３５および再生信号検出回路１３７に送られる。サーボ信号検出回路１３５に送られた検出信号１３４に基づいてサーボ信号が生成されて、アクチュエータ駆動回路１３６に入力される。
【００１９】
アクチュエータ駆動回路１３６は、光ピックアップの対物レンズ駆動手段５０に駆動信号を入力し、対物レンズ１を位置決め制御する。
【００２０】
一方、再生信号検出回路１３７に入力された検出信号１３４から再生信号が生成され、光ディスク１０１の情報が再生される。
【００２１】
この図７で示した光ピックアップ１１０が有する対物レンズ駆動手段５０の詳細を以下に説明する。
【００２２】
図１は本発明の光ピックアップ１１０の対物レンズ駆動手段５０の斜視図である。図中、ｚ方向が対物レンズ１を対物レンズ１の光軸に沿って光ディスク面に接近または離遠させるフォーカシング方向であり、ｙ方向が対物レンズ１を光ディスクの半径方向に動作させるトラッキング方向となる。ｙ方向とｚ方向の双方に直交する方向をｘ方向とする。
【００２３】
フォーカシングコイルとトラッキングコイルが装着されるコイルホルダは、２つのフォーカシングコイルホルダ３ａ，３ｂと、トラッキングコイルホルダ５に分割されて、それらを結合して構成される。
【００２４】
対物レンズ１はトラッキングコイルホルダ５に搭載される。対物レンズ１が搭載されトラッキングコイル４が巻回されたトラッキングコイルホルダ５と、２つのフォーカシングコイル２ａ，２ｂがそれぞれ巻回された２つのフォーカシングコイルホルダ３ａ，３ｂが可動部６となる。
【００２５】
可動部６は、一端側が可動部６に固定され他方が固定部８に固定された支持部材７により固定部８に対して変位可能に支持される。
【００２６】
２つのフォーカシングコイル２ａ，２ｂおよびトラッキングコイル４は、支持部材７の一端と半田等により電気的に接続され、支持部材７を通して外部から電流供給が行われる。
【００２７】
マグネット１０は、２つのフォーカシングコイル２ａ，２ｂとトラッキングコイル４に対向して、磁性体であるヨーク９に取り付けられる。マグネット１０はフォーカシング方向とトラッキング方向に沿って交差する境界で４つの磁極に分割されている。なお、マグネット１０は４極に着磁した１個のマグネットでもよいし、単極のマグネットを４個組み合わせたものでもよいし、２極に着磁したマグネットを２個組み合わせたものでもかまわない。
【００２８】
このような構成において、２つのフォーカシングコイル２ａ，２ｂに電流を流すとフォーカシング方向の駆動力が発生し、可動部６がフォーカシング方向に動作する。また、トラッキングコイル４に電流を流すとトラッキング方向の駆動力が発生し、可動部６がトラッキング方向に動作する。
【００２９】
２つのフォーカシングコイルホルダ３ａ，３ｂと、トラッキングコイルホルダ５が結合した状態において、２つのフォーカシングコイル２ａ，２ｂと、トラッキングコイル４は、コイルホルダの同じ面にマグネット１０に対向して巻回されるので、対向ヨークを備える必要がない。したがって、トラッキングコイルホルダ５のフォーカシング方向に垂直な面に、対物レンズ１への光路の他に開口部を設けなくても良いので、可動部６の剛性を高めることができる。
【００３０】
ここで、２つのフォーカシングコイル２ａ，２ｂと、トラッキングコイル４をコイルホルダを回転させてコイルホルダの同じ面に巻回することは、コイルホルダが１つの形状ではコイル同士が干渉して不可能である。そこで本発明では、コイルホルダを２つのフォーカシングコイルホルダ３ａ，３ｂと、トラッキングコイルホルダ５に分割することで、それぞれのコイルホルダにフォーカシングコイルとトラッキングコイルを巻回することを可能としている。
【００３１】
図２は各コイルを巻回していない状態での、２つのフォーカシングコイルホルダ３ａ，３ｂと、トラッキングコイルホルダ５の斜視図である。
【００３２】
フォーカシングコイルホルダ３ａ，３ｂは、フォーカシング方向およびトラッキング方向に平行な側面にフォーカシングコイル２ａ，２ｂの巻回部を有し、その内側にフォーカシングコイル２ａ，２ｂの中心を通る穴１１ａ，１１ｂを有する。そして、フォーカシングコイルホルダ３ａ，３ｂは、フォーカシングコイル２ａ，２ｂの巻回部からトラッキング方向に向けて互いに向き合った突出部１２ａ，１２ｂを有している。
【００３３】
トラッキングコイルホルダ５は、フォーカシング方向およびトラッキング方向に平行な側面にトラッキングコイル４の巻回部を有し、その内側にトラッキングコイル４の中心を通る穴１３を有する。そして、トラッキングコイルホルダ５は、トラッキングコイル４の巻回部の周りにトラッキングコイル４の取付面から一段下がった外縁部１４を有している。
【００３４】
図３は、トラッキングコイル４をトラッキングコイルホルダ５に巻回している状態を示している。第１の工程において、トラッキングコイルホルダ５は、穴１３に巻回軸２１を通して巻回軸２１に取り付けられる。その後、第２の工程において、ノズル３１によりガイドされたコイル線材の一端がトラッキングコイルホルダ５の端子部に巻き付けられ、巻回軸２１に取り付けられたトラッキングコイルホルダ５を回転させることで、トラッキングコイルホルダ５にコイル線材が巻回されトラッキングコイル４が形成される。
【００３５】
なお、ここでは図示はしていないが、第３の工程において、２つのフォーカシングコイルホルダ３ａ，３ｂの穴１１ａ，１１ｂに巻回軸を通した後、第４の工程において、各フォーカシングコイルホルダを回転させて、それぞれにコイル線材が巻回され、フォーカシングコイル２ａ，２ｂが形成される。
【００３６】
このようにして、フォーカシングコイルホルダ３ａ，３ｂと、トラッキングコイルホルダ５に各コイルを巻回した状態を図４に示す。
【００３７】
以上のように、コイルホルダを２つのフォーカシングコイルホルダ３ａ，３ｂと、トラッキングコイルホルダ５に分割して、それぞれにコイルの中心を通る穴を設けることで、コイルホルダ側を回転させて各コイルを巻回することが可能となり、作業の高速化を図ることができる。
【００３８】
上記の第２の工程および第４の工程の後に、第５の工程において、１つのトラッキングコイルホルダ５と２つのフォーカシングコイルホルダ３ａ，３ｂとを互いに接着して１つのコイルホルダが形成される。
【００３９】
図５は、２つのフォーカシングコイルホルダ３ａ，３ｂと、トラッキングコイルホルダ５を結合した状態を示している。図６は図５の結合状態のＡ−Ａ断面を示している。トラッキングコイルホルダ５の外縁部１４にフォーカシングコイルホルダ３ａの突出部１２ａとフォーカシングコイルホルダ３ｂの突出部１２ｂを重ねて配置し、トラッキングコイルホルダ５の外縁部１４において、フォーカシングコイルホルダ３ａ，３ｂとトラッキングコイルホルダ５を接着することで、フォーカシングコイルホルダ３ａ，３ｂとトラッキングコイルホルダ５を結合する。
【００４０】
トラッキングコイルホルダ５の外縁部１４と、フォーカシングコイルホルダ３ａの突出部１２ａおよびフォーカシングコイルホルダ３ｂの突出部１２ｂを、面と面が重なるように接着するので接着強度が向上し、確実に結合を行うことができる。
【００４１】
また、フォーカシングコイルホルダ３ａの突出部１２ａをＬ字状とし、フォーカシングコイルホルダ３ｂの突出部１２ｂを、フォーカシングコイルホルダ３ａのＬ字状の突出部１２ａと組み合うように逆Ｌ字状としている。このように一方の突出部をＬ字状とし、他方を逆Ｌ字状とすることで、２つのフォーカシングコイルホルダ３ａ，３ｂの判別と組み立てを容易に行うことができる。
【００４２】
以上、本発明の光ピックアップによれば、トラッキングコイルホルダと２つのフォーカシングコイルホルダにコイルを巻回する作業の高速化が図れ、かつ振動特性の良い光ピックアップを提供することができる。また、トラッキングコイルホルダと２つのフォーカシングコイルホルダの結合を確実に行うことができ、さらに、２つのフォーカシングコイルホルダの判別を容易に行うことができる。
【産業上の利用可能性】
【００４３】
本発明は、光ディスク装置の光ピックアップに利用できる。
【図面の簡単な説明】
【００４４】
【図１】本発明に係わる光ピックアップの対物レンズ駆動手段の実施例を示す図である。
【図２】図１に示した対物レンズ駆動手段のフォーカシングコイルホルダとトラッキングコイルホルダを示す図である。
【図３】図１に示した対物レンズ駆動手段のトラッキングコイルホルダにトラッキングコイルを巻回している状態を示す図である。
【図４】図１に示した対物レンズ駆動手段のフォーカシングコイルホルダとトラッキングコイルホルダに各コイルを巻回した状態を示す図である。
【図５】図１に示した対物レンズ駆動手段のフォーカシングコイルホルダとトラッキングコイルホルダの結合状態を示す図である。
【図６】図１に示した対物レンズ駆動手段のフォーカシングコイルホルダとトラッキングコイルホルダの結合状態を示す断面図である。
【図７】本発明に係わる光ディスク装置の実施例のブロック図である。
【符号の説明】
【００４５】
１  対物レンズ
２  フォーカシングコイル
３  フォーカシングコイルホルダ
４  トラッキングコイル
５  トラッキングコイルホルダ
６  可動部
７  支持部材
８  固定部
９  ヨーク
１０  マグネット
１１，１３  穴
１２  突出部
１４  外縁部
２１  巻回軸
３１  ノズル
５０  対物レンズ駆動手段
１００  光ディスク装置
１０１  光ディスク
１１０  光ピックアップ
１１１  レーザ発光素子
１１２  光検出器
【図１】
2008262621.tif 000003
【図２】
2008262621.tif 000004
【図３】
2008262621.tif 000005
【図４】
2008262621.tif 000006
【図５】
2008262621.tif 000007
【図６】
2008262621.tif 000008
【図７】
2008262621.tif 000009